(57)【要約】  パッケージングシステム(10)は複数のチャンバを含むブリスターパック(100)を保持するためのトレー(200)を含む。ブリスターパックは一般的なアクセスチャンバ(102)を収容する一般的なアクセスチャンバ領域と制限されたアクセスチャンバ(104)を収容する制限されたアクセス領域とに分割される。これらの領域はチャンバの無い領域(108)によって分離される。保持キャップ(300)はトレー内にブリスターパックを保持する。保持キャップとトレーはブリスター内のチャンバの無い領域のガイドスロット(110)内に嵌合するガイドポスト(310)をその間に含む。ヒンジ留めキャップが閉鎖位置にあるときに該ヒンジキャップはブリスターパックを錠止しヒンジ留めキャップが開放位置にあるときに使用者は制限されたアクセス領域にアクススし得るように子供が悪戯できないヒンジ式キャップ(25)はトレーにヒンジ式に装着される。
2007511432.tif 000002
【特許請求の範囲】
【請求項１】
パッケージングシステムであって、
トレーと、
複数の一般アクセスチャンバを含む一般アクセス区域と、複数の制限されたアクセスチャンバを含む制限されたアクセス区域と、チャンバの無い区域内に延在するガイドスロットを含む前記チャンバの無い区域と、を備え、前記一般アクセス区域と前記制限されたアクセス区域は前記チャンバの無い区域によって分離される、ブリスターパックと、
前記ブリスターパックを前記トレー内に摺動可能に固定するために該トレーに連結されたブリスター保持キャップと、
前記トレーにヒンジ式に装着され、前記制限されたアクセス区域へのアクセスを制限するヒンジキャップと、を備えるパッケージングシステム。
【請求項２】
前記トレーは、端部壁、側壁、及び、自身に装着される装着ポストを含むフレームを備える、請求項１に記載のパッケージングシステム。
【請求項３】
前記トレーは前記一般アクセスチャンバに対応する位置にある、少なくとも１つの一般アクセス窓、及び前記制限されたアクセスチャンバに対応する位置にある少なくとも１つの制限されたアクセス窓を更に含む、請求項２に記載のパッケージングシステム。
【請求項４】
複数の前記一般アクセスチャンバの各々１つは少なくとも１つの一般アクセス物品を含み、複数の前記制限されたアクセスチャンバの各々１つは少なくとも１つの制限されたアクセス物品を含む、請求項３に記載のパッケージングシステム。
【請求項５】
前記ガイドスロットを貫通して延在する中央ガイドポストを更に備える、請求項４に記載のパッケージングシステム。
【請求項６】
前記ブリスター保持キャップはフードを構成する基部及び壁を更に含み、前記フードは、前記ブリスターパックが第１位置にあるときに、前記ブリスターパックの制限されたアクセス区域を覆う、請求項５に記載のパッケージングシステム。
【請求項７】
前記トレーは側壁の１つ内に形成された少なくとも１つの箱金物を含む、請求項６に記載のパッケージングシステム。
【請求項８】
前記ヒンジキャップはフラップ、前記フラップの内側表面から突出する少なくとも１つのリブ、及び前記フラップに固定された対応する支柱から外向きに延在する少なくとも１つのボタンを含む、請求項７に記載のパッケージングシステム。
【請求項９】
前記ボタンは前記ヒンジキャップを固定して閉じるように前記箱金物に対応して係合する、請求項８に記載のパッケージングシステム。
【請求項１０】
前記フラップは、前記子供が悪戯できないヒンジキャップが閉じた位置にあるとき、前記リブが前記制限されたアクセスチャンバの少なくとも１つに突き当たって、前記ブリスターパックを前記第１位置に錠止するように、前記トレーにヒンジ式に固定される、請求項９に記載のパッケージングシステム。
【請求項１１】
前記ヒンジキャップは、前記箱金物を取り除くように、前記ボタンを内向きにそらすことによって開き、前記リブが前記制限されたアクセスチャンバを取り除き可能にし、かつ前記ブリスターパックを第２位置に摺動可能にする、請求項１０に記載のパッケージングシステム。
【請求項１２】
前記ブリスター保持キャップは半円弧状の窪みを更に含む、請求項１１に記載のパッケージングシステム。
【請求項１３】
前記トレー、前記ブリスターパック、前記保持キャップ、及び前記ヒンジキャップを受容するように形状構成された外側スリーブを更に含む、請求項１に記載のパッケージングシステム。
【請求項１４】
前記外側スリーブは第１開放端部及び第２開放端部を含み、その結果、前記トレーが前記第１開放端部から延在するとき、前記子供が悪戯できないヒンジキャップはアクセス可能であり、及び前記トレーが前記第２開放端部から延在するとき、前記一般アクセス区域はアクセス可能である、請求項１３に記載のパッケージングシステム。
【請求項１５】
前記トレー、前記保持キャップ、及び前記子供が悪戯できないヒンジキャップはプラスチック材料からなる、請求項１に記載のパッケージングシステム。
【請求項１６】
前記アクセス物品は第１薬剤、第２薬剤、非薬剤又はこれらの何れかの組合せのいずれか１つである、請求項４に記載のパッケージングシステム。
【請求項１７】
ブリスターパックであって、
複数の一般アクセスチャンバを含む一般アクセス区域であって、前記一般アクセスチャンバの各々１つは少なくとも１つの一般アクセス物品を含む、一般アクセス区域と、
複数の制限されたアクセスチャンバを含む制限されたアクセス区域であって、前記制限されたアクセスチャンバの各々１つは少なくとも１つの制限されたアクセス物品を含む、制限されたアクセス区域と、
ガイドスロットを含むチャンバの無い区域であって、前記一般アクセス区域及び前記制限されたアクセス区域は前記チャンバの無い区域によって分離される、チャンバの無い区域と、を備えるブリスターパック。
【請求項１８】
前記アクセス物品は第１薬剤、第２薬剤、非薬剤又はこれらの何れかの組合せのいずれか１つを備える、請求項１７に記載のブリスターパック。
【請求項１９】
前記一般アクセスチャンバ内の前記一般アクセス物品と、前記制限されたアクセスチャンバ内の物品と、をしっかりと収納するために前記アクセスチャンバの開放側に固定された裏当て材料を更に備える、請求項１８に記載のブリスターパック。
【請求項２０】
物品をパッケージ詰めする方法であって、前記方法は、
物品をブリスターパックにパッケージ詰めする段階であって、前記ブリスターパックが、複数の一般アクセスチャンバを含む一般アクセス区域と、複数の制限されたアクセスチャンバを含む制限されたアクセス区域と、チャンバの無い区域内に軸線方向に延在するガイドスロットを含むチャンバの無い区域と、を含み、前記一般アクセス区域及び前記制限されたアクセス区域は前記チャンバの無い区域によって分離される、前記段階と、
前記ブリスターパックをトレー内に装填する段階と、
前記トレー内に前記ブリスターパックを摺動可能に保持するために前記トレーに保持キャップを固定する段階と、
前記制限されたアクセス区域へのアクセスを制限するために子供が悪戯できないキャップを前記トレーにヒンジ式に装着する段階と、を備える方法。
【請求項２１】
パッケージ詰めする前記段階は、少なくとも１つの一般アクセス物品を対応する一般アクセスチャンバ内に配置し、かつ少なくとも１つの制限されたアクセス物品を対応する制限されたアクセスチャンバ内に配置することを含む、請求項２０に記載の方法。
【請求項２２】
パッケージ詰めする前記段階は、前記物品をしっかりと収納するために前記チャンバの開放側に裏当て材料を固定することを更に含む、請求項２１に記載の方法。
【請求項２３】
装填する前記段階は、前記ブリスターパックを前記トレー内に更に挿入することを含み、前記トレーは前記チャンバ無い区域のガイドスロットを貫通して延在する装着ポストを含む、請求項２２に記載の方法。
【請求項２４】
固定する前記段階は、ブリスターパックを前記トレーに装着することを含み、
前記ブリスター保持キャップは、前記一般アクセス区域にアクセスするために前記ブリスターパックを第１位置に摺動可能にし、かつ前記一般アクセス区域と前記制限されたアクセス区域の両方にアクセスするために前記ブリスターパックを第２位置に摺動可能にする前記装着ポストに連結される中央ガイドポストを含む、請求項２３に記載の方法。
【請求項２５】
固定する前記段階は、前記ブリスターパックが前記第１位置にあるときに、前記制限されたアクセス区域を覆うために、前記ブリスターパックの制限されたアクセス区域に亘って前記保持キャップを位置づけることを更に含む、請求項２４に記載の方法。
【請求項２６】
ヒンジ式に装着する前記段階は、
前記ヒンジキャップを前記トレーにヒンジ式に装着する段階と、
前記ヒンジキャップ内に位置づけられた保持リブが前記制限されたアクセスチャンバの少なくとも１つに突き当たるように、前記ヒンジキャップを閉じた位置に配置し、これにより、前記ブリスターパックを前記第１位置に錠止し、かつ前記ブリスターパックが前記第２位置から摺動しないように阻止する段階と、
前記リブが前記制限されたアクセス領域を取り除いて、前記制限されたアクセス区域へのアクセスを得るために前記第２位置内に前記ブリスターパックを摺動可能にする段階と、を備える、請求項２５に記載の方法。
【請求項２７】
前記トレー、前記ブリスターパック、外側スリーブ内の前記保持キャップ及び前記ヒンジキャップを摺動可能に挿入する段階を更に含み、前記外側スリーブは第１開放端部及び第２開放端部を含む、請求項２６に記載の方法。
【請求項２８】
パッケージ詰めする前記段階は、第１薬剤を備える少なくとも１つの一般アクセス物品を対応する一般アクセスチャンバ内に配置することと、第２薬剤を備える少なくとも１つの制限されたアクセス物品を対応する制限されたアクセスチャンバ内に配置することと、を含む、請求項２１に記載の方法。
【請求項２９】
物品をパッケージ詰めする方法であって、前記方法は、
物品をブリスターパック内にパッケージ詰めする段階であって、前記ブリスターパックは、複数の一般アクセスチャンバを含む一般アクセス区域と、複数の制限されたアクセスチャンバを含む制限されたアクセス区域と、ガイドスロットを含むチャンバの無い区域と、を含み、前記一般アクセス区域及び前記制限されたアクセス区域は前記チャンバの無い区域によって分離される、前記段階を備える方法。
【請求項３０】
パッケージ詰めする前記段階は、第１薬剤、第２薬剤、非薬剤又はこれらの何れかの組合せのいずれか１つを対応する一般アクセスチャンバ内に配置すること、を含む、請求項２９に記載の方法。
【請求項３１】
パッケージ詰めする前記段階は、第１薬剤、第２薬剤、非薬剤又はこれらの何れかの組合せのいずれか１つを対応する制限されたアクセスチャンバ内に配置すること、を更に含む、請求項３０に記載の方法。
【請求項３２】
パッケージ詰めする前記段階は、それぞれの前記チャンバの各々に前記物品をしっかりと収納するために前記チャンバの開放側に裏当て材料を固定することを更に含む、請求項３１に記載の方法。
【発明の詳細な説明】
【技術分野】
【０００１】
[関連出願へのクロス・リファレンス]
本願は、２００３年１１月１３日に出願された、同時係争中の米国仮出願６０／５１９，６０１号に基づく優先権を主張し、その全体を参考文献として本願明細書に援用する。
【０００２】
本発明は、一般的に、パッケージ詰めされた物品を分配且つアクセスするためのシステム及び方法に関する。より詳細には、本発明は、多機能な、子供が悪戯できないパッケージングシステムに向けられる。
【背景技術】
【０００３】
製薬産業では、多くのタイプのパッケージングが、錠剤、カプセル、タブレット、チュアブル等のような単位投薬量(unit doses)のために開発されてきた。１つのタイプのパッケージングは慣用のブリスターパックである。典型的なブリスターパックでは、熱成形技術は、錠剤のような小さな消耗品を保持するために別々のチャンバを含むプラスチックシェルを作り上げるために使用される。その後、裏当てはシェルの背面に添着され、これにより、それ自身のチャンバ内で各錠剤をケースに入れる。別々の錠剤は、プラスチックシェルによって錠剤に圧力を加えることによってブリスターから解放される。錠剤が錠剤区画室の基部で裏当てを貫通して押し出されるとき、錠剤チャンバは崩壊する。裏当てのこの部分は崩壊し、また、錠剤は結果として生じる開口を貫通してブリスターから解放される。
【０００４】
自身の薬剤治療製品との組合せに対して、製薬会社はブリスターパックに１つ以上の薬物を配置することを欲している。或る状況では、同じブリスターパックに、子供が悪戯できない容器を要する第１薬剤と、子供が悪戯できない容器を要しない第２薬剤と、を一緒にパッケージ詰めすることは望ましいものとし得る。しかしながら、パッケージング業界に関する調査では、同じブリスターパックのそれぞれの部分に子供が悪戯できないアクセス及びフリーアクセスの両方を与える装置を開示していない。従って、当該分野には薬剤の組合せを分配する一方で或る薬剤へのアクセスを制限する、システム及び方法に対する要求が残ったままである。
【発明の開示】
【課題を解決するための手段】
【０００５】
上述した問題は本発明によって検討される。その態様は、複数の単位投薬量チャンバを含むブリスターパックを保持するためのトレーを含む単位投薬量パッケージングシステムを提供する。ブリスターパックは、少なくとも１つの一般アクセス単位投薬量チャンバを収容する一般アクセス区域と、少なくとも１つの制限されたアクセス単位投薬量チャンバを収容する制限されたアクセス区域と、に分割される。一般アクセス区域及び制限されたアクセス区域はチャンバの無い区域によって分離される。保持キャップはトレー内にブリスターパックを保持する。保持キャップ及びトレーは、ブリスターのチャンバの無い区域に形成されたガイドスロット内に嵌合するガイドポストをその間に含む。ガイドポスト及びガイドスロットは、ブリスターパックが保持キャップによってトレー内に位置づけられたときに、ブリスターパックが、ブリスターの一般アクセス区域のみがアクセス可能な第１位置と、ブリスターの一般アクセス区域と制限されたアクセス区域との両方がアクセス可能な第２位置と、の間で摺動可能であるように、トレー内に位置づけられる。子供が悪戯できないヒンジキャップはトレーにヒンジ式に装着される。その結果、ヒンジキャップが閉じた位置にあるときに、ヒンジキャップは第１位置にブリスターパックを錠止し、かつヒンジキャップが開いた位置にあるときに、ヒンジキャップはブリスターパックを第２位置に摺動可能にする。
【０００６】
本願明細書で使用されるように、”単位投薬量及び錠剤(unit dose and pill)”という用語は、錠剤、カプセル、カプレット、タブレット、チュアブル、及びブリスターパック内に適切に貯蔵し得る同様な寸法の物品を含む。”制限されたアクセス(restricted access)”という用語は子供が悪戯できない態様で固定される物品を含む。”一般アクセス(general access)”という用語は子供が悪戯できない態様で固定される必要がない物品を含む。
【０００７】
本発明の１つの実施形態は、単一のパッケージ内に制限されたアクセス物品及び一般アクセス物品をパッケージ詰めするためのシステムを提供する。本願明細書でより詳細に説明するように、制限されたアクセス単位投薬量及び一般アクセス単位投薬量は特別に構成したブリスターパック内に一緒にパッケージ詰めされる。ブリスターパックはトレー内に摺動可能に装着される。その結果、ブリスターパックは、一般アクセス錠剤のみが容易にアクセス可能な第１位置と、一般アクセス錠剤と制限されたアクセス錠剤と、の両方がより容易にアクセス可能な第２位置と、の間で摺動可能である。
【０００８】
別の実施形態では、パッケージングシステムは、ブリスターパックを第１位置に錠止するための子供が悪戯できないヒンジキャップを含む。子供が悪戯できないヒンジキャップが開かれるとき、ブリスターパックは解錠され、かつ制限されたアクセス物品へのアクセスを獲得する第２位置内に摺動し得る。制限されたアクセス物品の１つ以上がブリスターパックから取り出された後、使用者はブリスターパックを第２位置からオリジナルの第１位置まで摺動させて戻し、及び子供が悪戯できないヒンジキャップを再び閉じることによって、ブリスターパックを再錠止し得る。
【０００９】
別の実施形態では、パッケージングシステムはトレー、ブリスターパック、ブリスター保持キャップ、及びヒンジキャップを備える。ブリスターパックは、複数の一般アクセスチャンバを含む一般アクセス区域と、複数の制限されたアクセスチャンバを含む制限されたアクセス区域と、チャンバが無い区域内に延在するガイドスロットを含むチャンバの無い区域と、を更に備える。一般アクセス区域及び制限されたアクセス区域はチャンバが無い区域によって分離される。保持キャップは、トレー内にブリスターパックを摺動可能に固定するためのトレーに連結される一方で、ヒンジキャップはトレーにヒンジ式に装着されて制限されたアクセス区域へのアクセスを制限する。
【００１０】
物品をパッケージ詰めする方法に向けられた実施形態では、１つの方法は、ブリスターパック内に物品をパッケージ詰めする段階と、トレー内にパックを装填する段階と、トレーに保持キャップを固定する段階と、制限されたアクセス区域へのアクセスを制限するためにキャップをトレーにヒンジ式に取り付ける段階と、を含む。ブリスターパック内に物品をパッケージ詰めする段階は、複数の一般アクセスチャンバを含む一般アクセス区域と、複数の制限されたアクセスチャンバを含む制限されたアクセス区域と、チャンバが無い区域内に延在するガイドスロットを含むチャンバが無い区域と、を含む一般アクセス区域をパックに設けることを含む。保持キャップを固定する段階はトレー内にブリスターパックを摺動可能に保持することを含む。
【００１１】
従って、本発明によるパッケージは一般アクセス物品への容易なアクセスを提供する一方で、制限された物品へのアクセスを制限するための子供が悪戯できないシステムを提供する。一般アクセス物品への容易なアクセスは、高齢者にとって、運動機能障害を有する人々にとって、あるいは危険でない薬物の使用者の便宜のために望ましい。さらに、パックフレームは、制限されたアクセス物品と一般アクセス物品との両方を排出するのに有用とし得る梃子装置を供する。
【００１２】
本発明は製薬に関連する用品に限定されず、極めて多量の繊細で、敏感な、あるいは独特な携帯用品にも適用可能であることも考えられる。小さな電子コンポーネントと、宝石と、食物と、高価且つ貴重な物品と、搬送され且つ貯蔵するために、安全で、安定しており、携帯可能な環境を要する何れか他の物品と、に本発明を適用することを見出し得る。本発明の他の利点は以下の記載、添付図面及び添付特許請求の範囲から自明となる。
【発明を実施するための最良の形態】
【００１３】
必要に応じて、本発明の実施形態を本願明細書に開示する。しかしながら、開示した実施形態は、種々及び別の形態で具現化し得る、本発明の単なる例示であることが理解される。図面は必ずしも拡大する必要はないが、或る形状構成は特定の構成要素の詳細を示すために誇張又は最小化し得る。従って、本願明細書に開示された特定の構造及び機能の詳細は限定するものとしてではなく、特許請求の範囲に対する基礎として、及び当業者に本発明を様々に採用するように教示するための代表的基礎として、単に解釈すべきである。
限定目的のためではなく、教示目的のために、図示した実施形態は薬物パッケージに向けられる。
【００１４】
ここで図面に戻ると、類似の参照符号は全体を通じて類似の要素を表し、図面中図１及び図２は、本発明によるパッケージングシステム１０の実施形態の上及び下からの分解斜視図を示す。パッケージングシステム１０は３つの構成要素を備える。ブリスターパック１００、ブリスターパックが摺動可能に装着されるトレー２００、及びトレー２００内にブリスターパック１００を取り付けるために使用されるブリスター保持キャップ３００である。
【００１５】
図示した実施形態では、ブリスターパック１００は、パッケージを一般使用者に供する以前に製造業者、分配業者、あるいは薬剤師によってトレー２００に装着される。従って、消費者には、ブリスターパック１００がトレー２００に装着された、組み立てられたパックが供される。この組み立てられたパックは使い捨てであると考えられる。他の実施形態では、使用されたブリスターパック１００が新しいものと取り替え得るため、トレー２００及びブリスター保持キャップ３００が再使用可能なようにパッケージングシステム１０は変更される。
【００１６】
ブリスターパック１００は複数のチャンバ１０２及び１０４、及び裏当て１０６を含む。チャンバ１０２、１０４の１つに収容される（図示しない）錠剤のような物品は、選択されたチャンバの外部ハウジング上に下向き圧力を加えることによってチャンバから解放され、チャンバを崩壊せしめ、かつ該チャンバ内部に収容された物品をチャンバの基部における裏当て１０６の部分に駆動せしめる。裏当て１０６の部分は破れ、かつ錠剤を結果的に形成される開口を通過可能にする。
【００１７】
ブリスタチャンバは２つのグループに分割される。一般的なアクセスチャンバ１０２から成る第１グループは一般的なアクセス単位投与量を含む。また、制限されたアクセスチャンバ１０４から成る第２グループは制限されたアクセス単位投与量を含む。限定目的のためではなく、教示目的のために、図示した実施形態は、６×２マトリックスの一般的なアクセスチャンバ１０２と、１×２マトリックスの制限されたアクセスチャンバ１０４と、を含む。これらのマトリックスの寸法が特許請求の範囲を逸脱せずにの無いに変更し得ることが理解される。一般アクセスチャンバ１０２を収容するブリスターパック１００の領域は本願明細書では一般アクセス区域と呼称される。制限されたアクセスチャンバ１０４を収容するブリスターパック１００の領域は本願明細書では制限されたアクセス区域と呼称される。
【００１８】
図１及び図２に更に示すように、ブリスターパック１００は、一般アクセス区域と、チャンバがない制限されたアクセス区域と、の間の領域１０８を更に含む。この領域１０８は、本願明細書ではチャンバの無い区域と呼称される。チャンバの無い区域１０８はスロット１１０を含む。ここで、スロット１１０は制限されたアクセス区域及びチャンバの無い区域１０８の両方内に少なくとも部分的に位置づけられて、第１位置と第２位置との間でブリスターパック１００を摺動させるための予め定められた長さを有する経路を規定する。
【００１９】
トレー２００は、端壁２０４及び２０６、側壁２０８及び２１０を具備するフレーム２０２を含む。トレー２００は、組み立てられたパッケージの一般アクセスチャンバ１０２の所定の位置に対応する１対の一般アクセス窓２１２及び２１４を含む。トレー２００は１対の制限されたアクセス窓２１６及び２１８を更に含む。以下に詳細に述べるように、ブリスターパック１００が第２位置内に摺動するとき、制限されたアクセスチャンバ１０４は制限されたアクセス窓２１６及び２１８に整合される。図１及び図２に示すように、ブリスター裏当て１０６が、錠剤チャンバ１０２及び１０４と、アクセス窓２１２、２１４及び２１８と、の間に位置づけられるように、ブリスターパック１００はトレー２００内に配向される。チャンバの対応するアクセス窓の方向に該チャンバの外部ハウジングに圧力を加えることによって物品は該チャンバから解放される。これは物品をブリスター裏当て１０６及び対応するアクセス窓２１２、２１４、２１６及び２１８を通じて物品を駆動せしめる。トレーフレーム２０２はブリスター裏当て１０６を通じて単位投与量の駆動を促進する構造的支持を与えることが図２から理解される。この実施形態のこの態様は運動機能障害を有する使用者には有用とし得る。上述したように、制限されたアクセスチャンバ１０４は、ブリスターパック１００が第２位置内に摺動するときに制限されたアクセス窓２１６及び２１８に整合される。
【００２０】
ブリスターパック１００はブリスター保持キャップ３００によってトレー２００内に保持される。図１及び図２に示すように、ブリスター保持キャップ３００は、共にフードを構成する、ベース３０２、３つの壁３０４、３０６及び３０８を含む。このフードは、ブリスターパック１００が第１位置にあるときに、制限されたアクセスチャンバ１０４を収容する区画室の一部を構成する。ブリスター保持キャップ３００は中央ガイドポスト３１０を更に含む。図示した実施形態では、この中央ガイドポスト３１０は中空であり、かつ、トレー２００上の対応する取り付け支柱２２０上に嵌合する。
【００２１】
中央ガイドポスト３１０は、接着剤又は他の適切な技術を使用して装着ポスト２２０に永久的に取り付け得る。所望に応じて、中央ガイドポスト３１０は装着ポスト２２０に解放可能に取り付け得る。この後者の配置構成は、トレー２００及びブリスター保持キャップ３００を交換ブリスターパックによって再使用可能にする。中央ガイドポスト３１０は、ブリスター保持キャップ１１０を貫通して延在する中央ガイドポスト３１０を具備する装着ポスト２２０に装着される。一緒に装着された時、ブリスター保持キャップ壁３０４、３０６及び３０８の上端縁はブリスター１００のチャンバの無い部分１０８をトレー２００の内側表面に保持する。
【００２２】
ブリスターパック１００がトレー２００に装着された後、ブリスターパック１００は長手方向に摺動可能である。トレー２００内のブリスターパック１００の長手方向運動は、中央ガイドポスト３１０及びガイドスロット１１０の協働によって決定し得る。ブリスターパック１００が第１位置にあるとき、中央ガイドポスト３１０は、ガイドスロット１１０の第１端部に衝突する。ブリスター１００が第２位置にある場合、ガイドポスト３１０はガイドスロット１１０の第２遠位端に衝突する。トレー２００内のブリスターパック１００の長手方向に直角な運動は側壁２０８及び２１０によって決定し得る。
【００２３】
図３〜図６は、子供が悪戯できないヒンジキャップ２５０の構造体及び動作を図示するパッケージングシステム１０の一連の斜視図である。図示した実施形態では、ヒンジキャップ２５０は組立工程中にトレー２００の一体部品として構成される。しかしながら、トレー２００に引き続いて装着される分離ユニットとして子供が悪戯できないヒンジキャップ２５０を構成することは可能である。
【００２４】
図３は、閉じた位置にある、子供が悪戯できないヒンジキャップ２５０を示す。また、図４は、ブリスター１００が第１位置にある状態で、開いた位置にある、子供が悪戯できないヒンジキャップ２５０を示す。図５は、ブリスターパック１００が第２位置内に摺動した状態の、開いた位置にある、子供が悪戯できないヒンジキャップ２５０を示す。図６は、開いた位置にある、子供が悪戯できないヒンジキャップ２５０を具備するパッケージングシステム１０の下から見た斜視図を示す。図３及び図４に示すように、子供が悪戯できないヒンジキャップ２５０はヒンジ２５４によってトレー２００の端壁２０４に装着されたフラップ２５２を含む。ヒンジキャップ２５０が閉じた位置にあるとき、このヒンジキャップ２５０はブリスター保持キャップ３００の基部３０２と実質的に連続した平らな表面を構成する。
【００２５】
図４に最も良く示すように、この子供が悪戯できないヒンジキャップ２５０は、フラップ２５２の内側表面から突出する１対のリブ２５６及び２５８を含む。これらのリブ２５６、２５８は、ヒンジキャップ２５０が閉位置にあるときに、制限されたアクセスチャンバ１０４にそれらが突き当たるように成形される。このように、子供が悪戯できないヒンジキャップ２５０が閉じたときに、リブ２５６、２５８の正に１つでさえ、ブリスター１００を第１位置に錠止する。子供が悪戯できないヒンジキャップ２５０が開かれると、リブ２５６、２５８は制限されたアクセスチャンバ１０４から退去し、ブリスター１００が第２位置内に摺動することを可能にする。
【００２６】
図３及び図４に更に示すように、この子供が悪戯できないヒンジキャップ２５０は一対の弾発的に変形可能な支柱(struts)２６４及び２６６から外向きに突出する一対のボタン２６０及び２６２を含む。ボタン２６０及び２６２は、トレーの側壁内に構成された１対の箱金物(stirrups)６８及び２７０内に緊密に嵌合するように寸法づけられ且つ位置づけられる。子供が悪戯できないヒンジキャップ２５０が閉じた位置にあるとき、ボタン２６０及び２６２はスターラップ２６８及び２７０を貫通して外向きに延在し、その端縁に係合し、かつヒンジキャップ２５０を閉じた位置に錠止する。図４に最も良く示すように、ボタン２６０及び２６２がスターラップ２６８及び２７０から十分に取り除かれてヒンジキャップ２５０を矢印２７６の方向に旋回させて開くことを可能にするまで、子供が悪戯できないヒンジキャップ２５０は矢印２７２及び２７４の方向に内向きにボタン２６０及び２６２を押圧することによって開く。
【００２７】
パッケージの使用者は１つの親指と第１の手の指を使用して２つのボタン２６０及び２６２を内向きに押圧し、及び第２の手を使用してヒンジキャップ２５０を旋回させて開くことが考えられる。第２の手で子供が悪戯できないヒンジキャップ２５０の把持を促進するために、半円弧状の窪み(semicircular well)３１２がブリスター保持キャップ３００の基部３０２に設けられる。ヒンジキャップ２５０はブリスター保持キャップ３００の半円弧状窪み３１２に位置が対応する耳部２７８を含む。ヒンジキャップ２５０は、ボタン２６０及び２６２がスターラップ２６８及び２７０に再び係合するように、それ下向きにを旋回させることによって再び閉じ得る。ボタン２６０、２６２はボタン２６０及び２６２を内向きにそらせるために１つの親指及び指を使う必要なく該ボタン２６０、２６２を所定位置に摺動可能にする丸い表面を具備する。
【００２８】
図５及び図６に図示するように、ブリスターパック１００は矢印２８０の方向に沿って第２位置内に摺動する。第２位置では、制限されたアクセスチャンバ１０４は、保護保持キャップ３００の下から摺動されており、今や視認し得るものであり、かつアクセス可能である。さらにまた、ブリスターパック１００が第２の位置にあるとき、制限されたアクセスチャンバ１０４は、図６に最も良く示すように制限されたアクセス窓２１６及び２１８に整合される。制限されたアクセスチャンバ１０４の単位投薬量は、矢印２８２の方向に制限されたアクセスチャンバ１０４に圧力を加えることにより今やブリスターパック１００から解放し得る。上述したように、この態様で圧力を加えることは、制限されたアクセスチャンバ１０４を崩壊せしめ、このチャンバ内に収容された単位投薬量を裏当て１０６から貫通させて窓２１６及び２１８を貫通させて駆動する。
【００２９】
子供が悪戯できないヒンジキャップ２５０は子供が悪戯できないものであることが理解される。何故なら、ヒンジキャップ２５０を開くには、或る年齢以下の子供には一般的に欠如している、両手及び発達した手と目の強調を要するためである。子供がどうにかこうにかヒンジキャップ２５０を開いたとしても、この子供が制限されたアクセスチャンバを制限されたアクセス窓２１６及び２１８と整合させ、その後、自身のブリスター１０４から単位投薬量を上手く取り出すようにブリスターパック１００を第２位置に摺動させることが難しいことを見出し得る。
【００３０】
図７〜図９は、パッケージングシステム１０が外側スリーブ４００内に包まれる、本発明の更なる態様を例示する一連の線図を示す。図７に示すように、外側スリーブ４００は第１開放端４０２及び第２開放端４０４を含み、パッケージングシステム１０全体の周りに緊密に嵌合するように成形される。パッケージングシステム１０は外側スリーブ４００の何れの端部からも摺動し得る。
【００３１】
パッケージングシステム１０が第１開放端４０２から摺動するとき、図７に示すように、子供が悪戯できないヒンジキャップ２５０は、外側スリーブ４００からパッケージングシステム１０を完全に取り除くことを要さずに露出される。図８に示すように、ヒンジキャップ２５０はブリスター１００の制限されたアクセスチャンバ１０４へのアクセスを与えるために開き得る。図９に示すように、パッケージングシステム１０が第２開放端４０４から摺動するとき、パッケージングシステム１０を外側スリーブ４００から完全に取り除くことを要さずにブリスター１００の一般アクセスチャンバ１０２はアクセス可能である。
【００３２】
本発明による物品をパッケージ詰めする１つの方法に関しては、１段階で部ピンはブリスターパック内にパックされる。ブリスターパックは、少なくとも１つの一般アクセスチャンバを収容する一般アクセス区域と、少なくとも１つの制限されたアクセスチャンバを収容する制限されたアクセス区域と、を含む。一般アクセス区域と制限されたアクセス区域と、はチャンバの無い区域によって分離される。他の段階では、ブリスターパックはトレー内に装填される。他の段階では、ブリスター保持キャップはブリスターパックをトレー内に保持するために使用される。ブリスター保持キャップ及びトレーはこれらの間にブリスターパックのチャンバの無い区域のガイドスロット内に嵌合する中央ガイドポストを含む。中央ガイドポスト及びガイドスロットは、ブリスターパックがブリスター保持キャップによってトレー内に保持されるように該トレー内に位置づけられる。ブリスターパックは、該ブリスターパックの一般アクセス区域がアクセス可能な第１位置と、ブリスターパックの一般アクセス区域と制限されたアクセス区位置の両方がアクセス可能な第２位置と、の間で摺動可能である。ブリスターパックはトレーにヒンジ式に装着された子供が悪戯できないキャップによって第１位置に保持される。この結果、ヒンジキャップが閉じるときに、該ヒンジキャップはブリスターパックを第１位置に錠止し、ヒンジキャップが開くときに、該ヒンジキャップはブリスターパックを第２位置内に摺動可能にする。
【００３３】
上述の記載は当業者が本発明を実線することを可能にする詳細を含むが、記載は性質上図示であり、その多くの変更及び変形はこれらの教示を有する当業者には自明であることを認識すべきである。本願明細書の発明は添付の特許請求の範囲のみによって規定され、しかも特許請求の範囲は従来技術によってできるだけ広く解釈されることを意図している。
【図面の簡単な説明】
【００３４】
【図１】本発明の実施形態の上から見た分解斜視図である。
【図２】本発明の実施形態の下から見た分解斜視図である。
【図３】図１及び図２のヒンジキャップの動作を図示する一連の斜視図である。
【図４】図１及び図２のヒンジキャップの動作を図示する一連の斜視図である。
【図５】図１及び図２のヒンジキャップの動作を図示する一連の斜視図である。
【図６】図１及び図２のヒンジキャップの動作を図示する一連の斜視図である。
【図７】本発明の別の実施形態を図示する一連の斜視図である。
【図８】本発明の別の実施形態を図示する一連の斜視図である。
【図９】本発明の別の実施形態を図示する一連の斜視図である。
【符号の説明】
【００３５】
１０  パッケージングシステム
１００  ブリスターパック
１０２  一般アクセスチャンバ
１０４  制限されたアクセスチャンバ
１０６  裏当て
１０８  チャンバの無い区域
１１０  スロット
２００  トレー
２０２  トレーフレーム
２０４、２０６  端壁
２０８、２１０  側壁
２１２、２１４  一般アクセス窓
２１６、２１８  制限されたアクセス窓
２２０  装着ポスト
２５０  子供が悪戯できないヒンジキャップ
２５２  フラップ
２５４  ヒンジ
２５６、２５８  リブ
２６０、２６２  一対のボタン
２６４、２６６  支柱
２６８、２７０  一対のスターラップ
２７２、２７４、２７６  矢印
２７８、２８２  矢印
３００  ブリスター保持キャップ
３０２  ベース
３０４、３０６、３０８  ブリスター保持キャップ壁
３１０  中央ガイドポスト
３１２  半円弧状窪み
４００  外側スリーブ
４０２  第１開放端
４０４  第２開放端
【図１】
2007511432.tif 000003
【図２】
2007511432.tif 000004
【図３】
2007511432.tif 000005
【図４】
2007511432.tif 000006
【図５】
2007511432.tif 000007
【図６】
2007511432.tif 000008
【図７】
2007511432.tif 000009
【図８】
2007511432.tif 000010
【図９】
2007511432.tif 000011
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
トレー及びブリスターパックを備えるパッケージングシステムであって、
前記ブリスターパックが、
複数の一般アクセスチャンバを含む一般アクセス区域と、
複数の制限されたアクセスチャンバを含む制限されたアクセス区域と、
チャンバが無い区域内に延在するガイドスロットを含むチャンバの無い区域と、を備え、
前記一般アクセス区域及び前記制限されたアクセス区域は前記チャンバが無い区域によって分離される、前記ブリスターパックと、
前記トレー内に前記ブリスターパックを摺動可能に固定するために該トレーに連結されるブリスター保持キャップと、
前記トレーにヒンジ式に装着されたヒンジキャップであって、前記ヒンジキャップは前記制限されたアクセス区域へのアクセスを制限する、前記ヒンジキャップと、を備え、
前記ブリスターパックの制限されたアクセス区域は、前記保持キャップより下に配置された第１位置から、前記制限されたアクセスチャンバへのアクセスを得ることができる第２位置まで、摺動可能に移動することができるパッケージングシステム。
【請求項２】
前記トレーは、端部壁、側壁、及び、自身に装着される装着ポストを含むフレームを備える、請求項１に記載のパッケージングシステム。
【請求項３】
前記トレーは前記一般アクセスチャンバに対応する位置にある、少なくとも１つの一般アクセス窓、及び前記制限されたアクセスチャンバに対応する位置にある少なくとも１つの制限されたアクセス窓を更に含む、請求項２に記載のパッケージングシステム。
【請求項４】
複数の前記一般アクセスチャンバの各々１つは少なくとも１つの一般アクセス物品を含み、複数の前記制限されたアクセスチャンバの各々１つは少なくとも１つの制限されたアクセス物品を含む、請求項３に記載のパッケージングシステム。
【請求項５】
前記ガイドスロットを貫通して延在する中央ガイドポストを更に備える、請求項４に記載のパッケージングシステム。
【請求項６】
前記ブリスター保持キャップはフードを構成する基部及び壁を更に含み、前記フードは、前記ブリスターパックが第１位置にあるときに、前記ブリスターパックの制限されたアクセス区域を覆う、請求項５に記載のパッケージングシステム。
【請求項７】
前記トレーは側壁の１つ内に形成された少なくとも１つの箱金物を含む、請求項６に記載のパッケージングシステム。
【請求項８】
前記ヒンジキャップはフラップ、及び前記フラップに固定された対応する支柱から外向きに延在する少なくとも１つのボタンを含む、請求項７に記載のパッケージングシステム。
【請求項９】
前記ボタンは前記ヒンジキャップを固定して閉じるように前記箱金物に対応して係合する、請求項８に記載のパッケージングシステム。
【請求項１０】
前記フラップは、前記子供が悪戯できないヒンジキャップが閉じた位置にあるとき、前記リブが前記制限されたアクセスチャンバの少なくとも１つに突き当たって、前記ブリスターパックを前記第１位置に錠止するように、前記トレーにヒンジ式に固定される、請求項９に記載のパッケージングシステム。
【請求項１１】
前記ヒンジキャップは、前記箱金物を取り除くように、前記ボタンを内向きにそらすことによって開き、前記リブが前記制限されたアクセスチャンバを取り除き、かつ前記ブリスターパックを第２位置に摺動可能にする、請求項１０に記載のパッケージングシステム。
【請求項１２】
前記ブリスター保持キャップは半円弧状の窪みを更に含む、請求項１１に記載のパッケージングシステム。
【請求項１３】
前記トレー、前記ブリスターパック、前記保持キャップ、及び前記ヒンジキャップを受容するように形状構成された外側スリーブを更に含む、請求項１に記載のパッケージングシステム。
【請求項１４】
前記外側スリーブは第１開放端部及び第２開放端部を含み、その結果、前記トレーが前記第１開放端部から延在するとき、前記子供が悪戯できないヒンジキャップはアクセス可能であり、及び前記トレーが前記第２開放端部から延在するとき、前記一般アクセス区域はアクセス可能である、請求項１３に記載のパッケージングシステム。
【請求項１５】
前記トレー、前記保持キャップ、及び前記子供が悪戯できないヒンジキャップはプラスチック材料からなる、請求項１に記載のパッケージングシステム。
【請求項１６】
前記アクセス物品は第１薬剤、第２薬剤、非薬剤又はこれらの何れかの組合せのいずれか１つである、請求項４に記載のパッケージングシステム。
【請求項１７】
請求項１に記載のパッケージングシステムで使用するブリスターパックであって、
前記ブリスターパックが、
複数の一般アクセスチャンバを含む一般アクセス区域であって、前記一般アクセスチャンバの各々１つが少なくとも１つの一般アクセス物品を含む、前記一般アクセス区域と、
複数の制限されたアクセスチャンバを含む制限されたアクセス区域であって、前記制限されたアクセスチャンバの各々１つが少なくとも１つの制限されたアクセス物品を含む前記制限されたアクセス区域と、
ガイドスロットを含むチャンバの無い区域と、を備え、
前記一般アクセス区域及び前記制限されたアクセス区域は前記チャンバが無い区域によって分離され、
前記一般アクセス区域内の物品は容易にアクセス可能であるが前記制限されたアクセス区域のこれらの物品へのアクセスが制限されるように、前記ブリスターパックは前記パッケージングシステムと協働するように形状構成されるブリスターパック。
【請求項１８】
前記アクセス物品は第１薬剤、第２薬剤、非薬剤又はこれらの何れかの組合せのいずれか１つを備える、請求項１７に記載のブリスターパック。
【請求項１９】
前記一般アクセスチャンバ内の前記一般アクセス物品と、前記制限されたアクセスチャンバ内の物品と、をしっかりと収納するために前記アクセスチャンバの開放側に固定された裏当て材料を更に備える、請求項１８に記載のブリスターパック。
【請求項２０】
物品をパッケージ詰めする方法であって、前記方法は、
物品をブリスターパック内にパッケージ詰めする段階であって、前記ブリスターパックが、複数の一般アクセスチャンバを含む一般アクセス区域と、複数の制限されたアクセスチャンバを含む制限されたアクセス区域と、チャンバの無い区域内に軸線方向に延在するガイドスロットを含む該チャンバの無い区域と、を備え、
前記一般アクセス区域及び前記制限されたアクセス区域は前記チャンバが無い区域によって分離され、
使用時に、前記制限されたアクセス区域が前記保持キャップより下の第１位置に配置されるとき、前記ブリスターパックの前記制限されたアクセス領域へのアクセスが制限され、前記ブリスターパックを前記第１位置から、前記制限されたアクセス区域がアクセス可能な第２位置まで、摺動可能に移動させることによって、前記制限されたチャンバへのアクセスを得ることができる、前記段階と、
トレー内にパックを装填する段階と、
前記トレー内に前記ブリスターパックを摺動可能に保持するために保持キャップを前記トレーに固定する段階と、
前記制限されたアクセス区域へのアクセスを制限するために子供が悪戯できないキャップを前記トレーにヒンジ式に取り付ける段階と、を含む方法。
【請求項２１】
パッケージ詰めする前記段階は、少なくとも１つの一般アクセス物品を対応する一般アクセスチャンバ内に配置し、かつ少なくとも１つの制限されたアクセス物品を対応する制限されたアクセスチャンバ内に配置することを含む、請求項２０に記載の方法。
【請求項２２】
パッケージ詰めする前記段階は、前記物品をしっかりと収納するために前記チャンバの開放側に裏当て材料を固定することを更に含む、請求項２１に記載の方法。
【請求項２３】
装填する前記段階は、前記ブリスターパックを前記トレー内に更に挿入することを含み、前記トレーは前記チャンバ無い区域のガイドスロットを貫通して延在する装着ポストを含む、請求項２２に記載の方法。
【請求項２４】
固定する前記段階は、ブリスターパックを前記トレーに装着することを含み、
前記ブリスター保持キャップは、前記一般アクセス区域にアクセスするために前記ブリスターパックを第１位置に摺動可能にし、かつ前記一般アクセス区域と前記制限されたアクセス区域の両方にアクセスするために前記ブリスターパックを第２位置に摺動可能にする前記装着ポストに連結される中央ガイドポストを含む、請求項２３に記載の方法。
【請求項２５】
固定する前記段階は、前記ブリスターパックが前記第１位置にあるときに、前記制限されたアクセス区域を覆うために、前記ブリスターパックの制限されたアクセス区域に亘って前記保持キャップを位置づけることを更に含む、請求項２４に記載の方法。
【請求項２６】
ヒンジ式に装着する前記段階は、
前記ヒンジキャップを前記トレーにヒンジ式に装着する段階と、
前記ヒンジキャップ内に位置づけられた保持リブが前記制限されたアクセスチャンバの少なくとも１つに突き当たるように、前記ヒンジキャップを閉じた位置に配置し、これにより、前記ブリスターパックを前記第１位置に錠止し、かつ前記ブリスターパックが前記第２位置から摺動しないように阻止する段階と、
前記リブが前記制限されたアクセス領域を取り除いて、前記制限されたアクセス区域へのアクセスを得るために前記第２位置内に前記ブリスターパックを摺動可能にする段階と、を備える、請求項２５に記載の方法。
【請求項２７】
前記トレー、前記ブリスターパック、外側スリーブ内の前記保持キャップ及び前記ヒンジキャップを摺動可能に挿入する段階を更に含み、前記外側スリーブは第１開放端部及び第２開放端部を含む、請求項２６に記載の方法。
【請求項２８】
パッケージ詰めする前記段階は、第１薬剤を備える少なくとも１つの一般アクセス物品を対応する一般アクセスチャンバ内に配置することと、第２薬剤を備える少なくとも１つの制限されたアクセス物品を対応する制限されたアクセスチャンバ内に配置することと、を含む、請求項２１に記載の方法。
【手続補正２】
【補正対象書類名】明細書
【補正対象項目名】全文
【補正方法】変更
【補正の内容】
【書類名】明細書
【発明の名称】子供が悪戯できないパッケージングシステム及びこれを作る方法
【技術分野】
【０００１】
[関連出願へのクロス・リファレンス]
本願は、２００３年１１月１３日に出願された、同時係争中の米国仮出願６０／５１９，６０１号に基づく優先権を主張し、その全体を参考文献として本願明細書に援用する。
【０００２】
本発明は、一般的に、パッケージ詰めされた物品を分配且つアクセスするためのシステム及び方法に関する。より詳細には、本発明は、多機能な、子供が悪戯できないパッケージングシステムに向けられる。
【背景技術】
【０００３】
製薬産業では、多くのタイプのパッケージングが、錠剤、カプセル、タブレット、チュアブル等のような単位投薬量(unit doses)のために開発されてきた。１つのタイプのパッケージングは慣用のブリスターパックである。典型的なブリスターパックでは、熱成形技術は、錠剤のような小さな消耗品を保持するために別々のチャンバを含むプラスチックシェルを作り上げるために使用される。その後、裏当てはシェルの背面に添着され、これにより、それ自身のチャンバ内で各錠剤をケースに入れる。別々の錠剤は、プラスチックシェルによって錠剤に圧力を加えることによってブリスターから解放される。錠剤が錠剤区画室の基部で裏当てを貫通して押し出されるとき、錠剤チャンバは崩壊する。裏当てのこの部分は崩壊し、また、錠剤は結果として生じる開口を貫通してブリスターから解放される。
【０００４】
自身の薬剤治療製品との組合せに対して、製薬会社はブリスターパックに１つ以上の薬物を配置することを欲している。或る状況では、同じブリスターパックに、子供が悪戯できない容器を要する第１薬剤と、子供が悪戯できない容器を要しない第２薬剤と、を一緒にパッケージ詰めすることは望ましいものとし得る。しかしながら、パッケージング業界に関する調査では、同じブリスターパックのそれぞれの部分に子供が悪戯できないアクセス及びフリーアクセスの両方を与える装置を開示していない。従って、当該分野には薬剤の組合せを分配する一方で或る薬剤へのアクセスを制限する、システム及び方法に対する要求が残ったままである。
【発明の開示】
【課題を解決するための手段】
【０００５】
上述した問題は本発明によって検討される。その態様は、複数の単位投薬量チャンバを含むブリスターパックを保持するためのトレーを含む単位投薬量パッケージングシステムを提供する。ブリスターパックは、少なくとも１つの一般アクセス単位投薬量チャンバを収容する一般アクセス区域と、少なくとも１つの制限されたアクセス単位投薬量チャンバを収容する制限されたアクセス区域と、に分割される。一般アクセス区域及び制限されたアクセス区域はチャンバの無い区域によって分離される。保持キャップはトレー内にブリスターパックを保持する。保持キャップ及びトレーは、ブリスターのチャンバの無い区域に形成されたガイドスロット内に嵌合するガイドポストをその間に含む。ガイドポスト及びガイドスロットは、ブリスターパックが保持キャップによってトレー内に位置づけられたときに、ブリスターパックが、ブリスターの一般アクセス区域のみがアクセス可能な第１位置と、ブリスターの一般アクセス区域と制限されたアクセス区域との両方がアクセス可能な第２位置と、の間で摺動可能であるように、トレー内に位置づけられる。子供が悪戯できないヒンジキャップはトレーにヒンジ式に装着される。その結果、ヒンジキャップが閉じた位置にあるときに、ヒンジキャップは第１位置にブリスターパックを錠止し、かつヒンジキャップが開いた位置にあるときに、ヒンジキャップはブリスターパックを第２位置に摺動可能にする。
【０００６】
本願明細書で使用されるように、”単位投薬量及び錠剤(unit dose and pill)”という用語は、錠剤、カプセル、カプレット、タブレット、チュアブル、及びブリスターパック内に適切に貯蔵し得る同様な寸法の物品を含む。”制限されたアクセス(restricted access)”という用語は子供が悪戯できない態様で固定される物品を含む。”一般アクセス(general access)”という用語は子供が悪戯できない態様で固定される必要がない物品を含む。
【０００７】
本発明の第１態様によれば、トレー及びブリスターパックを備えるパッケージングシステムが提供される。ブリスターパックは、複数の一般アクセスチャンバを含む一般アクセス区域と、複数の制限されたアクセスチャンバを含む制限されたアクセス区域と、チャンバが無い区域内に延在するガイドスロットを含むチャンバの無い区域と、を備える。前記一般アクセス区域及び制限されたアクセス区域はチャンバが無い区域によって分離される、ブリスターパックと、前記トレー内に前記ブリスターパックを摺動可能に固定するために該トレーに連結されるブリスター保持キャップと、前記トレーにヒンジ式に装着されたヒンジキャップであって、前記ヒンジキャップは前記制限されたアクセス区域へのアクセスを制限する、前記ヒンジキャップと、を備え、前記ブリスターパックの制限されたアクセス区域は前記保持キャップより下に配置された第１位置から、前記制限されたアクセスチャンバへのアクセスを得ることができる第２位置まで摺動可能に移動することができる。
【０００８】
好ましくは、前記トレーは、端部壁、側壁、及び、自身に装着される装着ポストを含むフレームを備える。
より好ましくは、前記トレーは前記一般アクセスチャンバに対応する位置にある、少なくとも１つの一般アクセス窓、及び前記制限されたアクセスチャンバに対応する位置にある少なくとも１つの制限されたアクセス窓を更に含む。
好ましくは、複数の前記一般アクセスチャンバの各々１つは少なくとも１つの一般アクセス物品を含み、複数の前記制限されたアクセスチャンバの各々１つは少なくとも１つの制限されたアクセス物品を含む。
好ましくは、前記ガイドスロットを貫通して延在する中央ガイドポストを更に備える。
好ましくは、前記ブリスター保持キャップはフードを構成する基部及び壁を更に含み、前記フードは、前記ブリスターパックが第１位置にあるときに、前記ブリスターパックの制限されたアクセス区域を覆う。
好ましくは、前記トレーは側壁の１つ内に形成された少なくとも１つの箱金物(stirrup)を更に含む。
好ましくは、前記ヒンジキャップはフラップ、及び前記フラップに固定された対応する支柱から外向きに延在する少なくとも１つのボタンを含む。
好ましくは、前記ボタンは前記ヒンジキャップを固定して閉じるように前記箱金物に対応して係合する。
好ましくは、前記フラップは、前記子供が悪戯できないヒンジキャップが閉じた位置にあるとき、前記リブが前記制限されたアクセスチャンバの少なくとも１つに突き当たって、前記ブリスターパックを前記第１位置に錠止するように、前記トレーにヒンジ式に固定される。
好ましくは、前記ヒンジキャップは、前記箱金物を取り除くように、前記ボタンを内向きにそらすことによって開き、前記リブが前記制限されたアクセスチャンバを取り除き可能にし、かつ前記ブリスターパックを第２位置に摺動可能にする。
好ましくは、前記パッケージングシステムは、前記トレー、前記ブリスターパック、前記保持キャップ、及び前記ヒンジキャップを受容するように形状構成された外側スリーブを更に含む。
好ましくは、前記外側スリーブは第１開放端部及び第２開放端部を含み、その結果、前記トレーが前記第１開放端部から延在するとき、前記子供が悪戯できないヒンジキャップはアクセス可能であり、及び前記トレーが前記第２開放端部から延在するとき、前記一般アクセス区域はアクセス可能である。
好ましくは、前記トレー、前記保持キャップ、及び前記子供が悪戯できないヒンジキャップはプラスチック材料からなる。
好ましくは、前記アクセス物品は第１薬剤、第２薬剤、非薬剤又はこれらの何れかの組合せのいずれか１つである。
【０００９】
本発明の第２態様によれば、パッケージングシステムで使うためのブリスターパックが提供される。ブリスターパックは、複数の一般アクセスチャンバを含む一般アクセス区域であって、前記一般アクセスチャンバの各々１つが少なくとも１つの一般アクセス物品を含む前記一般アクセス区域と、複数の制限されたアクセスチャンバを含む制限されたアクセス区域であって、前記制限されたアクセスチャンバの各々１つが少なくとも１つの制限されたアクセス物品を含む前記制限されたアクセス区域と、ガイドスロットを含むチャンバの無い区域と、を備え、前記一般アクセス区域及び制限されたアクセス区域は前記チャンバが無い区域によって分離される。ここで、前記一般アクセス区域内の物品は容易にアクセス可能であるが前記制限されたアクセス区域のこれらの物品へのアクセスが制限されるように、前記ブリスターパックは前記パッケージングシステムと協働するように形状構成される。
【００１０】
好ましくは、前記アクセス物品は第１薬剤、第２薬剤、非薬剤又はこれらの何れかの組合せのいずれか１つである。
好ましくは、前記ブリスターパックは、前記一般アクセスチャンバ内の前記一般アクセス物品と、前記制限されたアクセスチャンバ内の前記制限されたアクセス物品と、をしっかりと収納するために前記アクセスチャンバの開放側に固定された裏当て材料を更に備える。
【００１１】
本発明の第３態様によれば、物品をパッケージ詰めする方法が提供される。前記方法は、ブリスターパック内に物品をパッケージ詰めする段階を備え、前記ブリスターパックは、複数の一般アクセスチャンバを含む一般アクセス区域と、複数の制限されたアクセスチャンバを含む制限されたアクセス区域と、チャンバが無い区域内に軸線方向に延在するガイドスロットを含むチャンバが無い区域と、を含み、前記一般アクセス区域及び制限されたアクセス区域はチャンバが無い区域によって分離される、前記段階と、
前記ブリスターパックをトレー内に装填する段階と、
前記トレー内に前記ブリスターパックを摺動可能に保持するために前記保持キャップを前記トレーに固定する段階と、前記制限されたアクセス区域へのアクセスを制限するために子供が悪戯できないキャップを前記トレーにヒンジ式に装着する段階と、を含み、ここで、前記ブリスターパックの前記制限されたアクセス区域は前記保持キャップより下の第１位置に配置され、かつ第１位置から第２位置まで摺動可能に移動され、この第２位置では、前記制限されたチャンバへのアクセスを得ることができる。
好ましくは、パッケージ詰めする前記段階は、少なくとも１つの一般アクセス物品を対応する一般アクセスチャンバ内に配置し、かつ少なくとも１つの制限されたアクセス物品を対応する制限されたアクセスチャンバ内に配置することを含む。
好ましくは、パッケージ詰めする前記段階は、前記物品をしっかりと収納するために前記チャンバの開放側に裏当て材料を固定することを更に含む。
好ましくは、装填する前記段階は、前記ブリスターパックを前記トレー内に挿入することを含み、前記トレーは前記チャンバ無い区域のガイドスロットを貫通して延在する装着ポストを含む。
好ましくは、固定する前記段階は、ブリスター保持キャップを前記トレーに装着することを含み、前記ブリスター保持キャップは、前記一般アクセス区域にアクセスするために前記ブリスターパックを第１位置に摺動可能にし、かつ前記一般アクセス区域と前記制限されたアクセス区域の両方にアクセスするために前記ブリスターパックを第１位置に摺動可能にする、前記装着ポストに連結される中央ガイドポストを含む。
好ましくは、固定する前記段階は、前記ブリスターパックが前記第１位置にあるときに、前記制限されたアクセス区域を覆うために、前記ブリスターパックの制限されたアクセス区域に亘って前記保持キャップを位置づけることを更に含む。
好ましくは、ヒンジ式に装着する前記段階は、
前記ヒンジキャップを前記トレーにヒンジ式に装着する段階と、
前記ヒンジキャップ内に位置づけられた保持リブが前記制限されたアクセスチャンバの少なくとも１つに突き当たるように、前記ヒンジキャップを閉じた位置に配置し、これにより、前記ブリスターパックを前記第１位置に錠止し、かつ前記ブリスターパックが前記第２位置から摺動しないように阻止する段階と、
前記リブが前記制限されたアクセス領域を取り除いて、前記制限されたアクセス区域へのアクセスを得るために前記第２位置内に前記ブリスターパックを摺動可能にする段階と、を備える方法が提供される。
好ましくは、前記方法は、前記トレー、前記ブリスターパック、外側スリーブ内の前記保持キャップ及び前記ヒンジキャップを摺動可能に挿入する段階を更に含み、前記外側スリーブは第１開放端部及び第２開放端部を含む。
好ましくは、パッケージ詰めする前記段階は、第１薬剤を備える少なくとも１つの一般アクセス物品を対応する一般アクセスチャンバ内に配置することと、第２薬剤を備える少なくとも１つの制限されたアクセス物品を対応する制限されたアクセスチャンバ内に配置することと、を含む。
【００１２】
本発明は製薬に関連する用品に限定されず、極めて多量の繊細で、敏感な、あるいは独特な携帯用品にも適用可能であることも考えられる。小さな電子コンポーネントと、宝石と、食物と、高価且つ貴重な物品と、搬送され且つ貯蔵するために、安全で、安定しており、携帯可能な環境を要する何れか他の物品と、に本発明を適用することを見出し得る。本発明の他の利点は以下の記載、添付図面及び添付特許請求の範囲から自明となる。
【発明を実施するための最良の形態】
【００１３】
必要に応じて、本発明の実施形態を本願明細書に開示する。しかしながら、開示した実施形態は、種々及び別の形態で具現化し得る、本発明の単なる例示であることが理解される。図面は必ずしも拡大する必要はないが、或る形状構成は特定の構成要素の詳細を示すために誇張又は最小化し得る。従って、本願明細書に開示された特定の構造及び機能の詳細は限定するものとしてではなく、特許請求の範囲に対する基礎として、及び当業者に本発明を様々に採用するように教示するための代表的基礎として、単に解釈すべきである。
限定目的のためではなく、教示目的のために、図示した実施形態は薬物パッケージに向けられる。
【００１４】
ここで図面に戻ると、類似の参照符号は全体を通じて類似の要素を表し、図面中図１及び図２は、本発明によるパッケージングシステム１０の実施形態の上及び下からの分解斜視図を示す。パッケージングシステム１０は３つの構成要素を備える。ブリスターパック１００、ブリスターパックが摺動可能に装着されるトレー２００、及びトレー２００内にブリスターパック１００を取り付けるために使用されるブリスター保持キャップ３００である。
【００１５】
図示した実施形態では、ブリスターパック１００は、パッケージを一般使用者に供する以前に製造業者、分配業者、あるいは薬剤師によってトレー２００に装着される。従って、消費者には、ブリスターパック１００がトレー２００に装着された、組み立てられたパックが供される。この組み立てられたパックは使い捨てであると考えられる。他の実施形態では、使用されたブリスターパック１００が新しいものと取り替え得るため、トレー２００及びブリスター保持キャップ３００が再使用可能なようにパッケージングシステム１０は変更される。
【００１６】
ブリスターパック１００は複数のチャンバ１０２及び１０４、及び裏当て１０６を含む。チャンバ１０２、１０４の１つに収容される（図示しない）錠剤のような物品は、選択されたチャンバの外部ハウジング上に下向き圧力を加えることによってチャンバから解放され、チャンバを崩壊せしめ、かつ該チャンバ内部に収容された物品をチャンバの基部における裏当て１０６の部分に駆動せしめる。裏当て１０６の部分は破れ、かつ錠剤を結果的に形成される開口を通過可能にする。
【００１７】
ブリスタチャンバは２つのグループに分割される。一般的なアクセスチャンバ１０２から成る第１グループは一般的なアクセス単位投与量を含む。また、制限されたアクセスチャンバ１０４から成る第２グループは制限されたアクセス単位投与量を含む。限定目的のためではなく、教示目的のために、図示した実施形態は、６×２マトリックスの一般的なアクセスチャンバ１０２と、１×２マトリックスの制限されたアクセスチャンバ１０４と、を含む。これらのマトリックスの寸法が特許請求の範囲を逸脱せずにの無いに変更し得ることが理解される。一般アクセスチャンバ１０２を収容するブリスターパック１００の領域は本願明細書では一般アクセス区域と呼称される。制限されたアクセスチャンバ１０４を収容するブリスターパック１００の領域は本願明細書では制限されたアクセス区域と呼称される。
【００１８】
図１及び図２に更に示すように、ブリスターパック１００は、一般アクセス区域と、チャンバがない制限されたアクセス区域と、の間の領域１０８を更に含む。この領域１０８は、本願明細書ではチャンバの無い区域と呼称される。チャンバの無い区域１０８はスロット１１０を含む。ここで、スロット１１０は制限されたアクセス区域及びチャンバの無い区域１０８の両方内に少なくとも部分的に位置づけられて、第１位置と第２位置との間でブリスターパック１００を摺動させるための予め定められた長さを有する経路を規定する。
【００１９】
トレー２００は、端壁２０４及び２０６、側壁２０８及び２１０を具備するフレーム２０２を含む。トレー２００は、組み立てられたパッケージの一般アクセスチャンバ１０２の所定の位置に対応する１対の一般アクセス窓２１２及び２１４を含む。トレー２００は１対の制限されたアクセス窓２１６及び２１８を更に含む。以下に詳細に述べるように、ブリスターパック１００が第２位置内に摺動するとき、制限されたアクセスチャンバ１０４は制限されたアクセス窓２１６及び２１８に整合される。図１及び図２に示すように、ブリスター裏当て１０６が、錠剤チャンバ１０２及び１０４と、アクセス窓２１２、２１４及び２１８と、の間に位置づけられるように、ブリスターパック１００はトレー２００内に配向される。チャンバの対応するアクセス窓の方向に該チャンバの外部ハウジングに圧力を加えることによって物品は該チャンバから解放される。これは物品をブリスター裏当て１０６及び対応するアクセス窓２１２、２１４、２１６及び２１８を通じて物品を駆動せしめる。トレーフレーム２０２はブリスター裏当て１０６を通じて単位投与量の駆動を促進する構造的支持を与えることが図２から理解される。この実施形態のこの態様は運動機能障害を有する使用者には有用とし得る。上述したように、制限されたアクセスチャンバ１０４は、ブリスターパック１００が第２位置内に摺動するときに制限されたアクセス窓２１６及び２１８に整合される。
【００２０】
ブリスターパック１００はブリスター保持キャップ３００によってトレー２００内に保持される。図１及び図２に示すように、ブリスター保持キャップ３００は、共にフードを構成する、ベース３０２、３つの壁３０４、３０６及び３０８を含む。このフードは、ブリスターパック１００が第１位置にあるときに、制限されたアクセスチャンバ１０４を収容する区画室の一部を構成する。ブリスター保持キャップ３００は中央ガイドポスト３１０を更に含む。図示した実施形態では、この中央ガイドポスト３１０は中空であり、かつ、トレー２００上の対応する取り付け支柱２２０上に嵌合する。
【００２１】
中央ガイドポスト３１０は、接着剤又は他の適切な技術を使用して装着ポスト２２０に永久的に取り付け得る。所望に応じて、中央ガイドポスト３１０は装着ポスト２２０に解放可能に取り付け得る。この後者の配置構成は、トレー２００及びブリスター保持キャップ３００を交換ブリスターパックによって再使用可能にする。中央ガイドポスト３１０は、ブリスター保持キャップ１１０を貫通して延在する中央ガイドポスト３１０を具備する装着ポスト２２０に装着される。一緒に装着された時、ブリスター保持キャップ壁３０４、３０６及び３０８の上端縁はブリスター１００のチャンバの無い部分１０８をトレー２００の内側表面に保持する。
【００２２】
ブリスターパック１００がトレー２００に装着された後、ブリスターパック１００は長手方向に摺動可能である。トレー２００内のブリスターパック１００の長手方向運動は、中央ガイドポスト３１０及びガイドスロット１１０の協働によって決定し得る。ブリスターパック１００が第１位置にあるとき、中央ガイドポスト３１０は、ガイドスロット１１０の第１端部に衝突する。ブリスター１００が第２位置にある場合、ガイドポスト３１０はガイドスロット１１０の第２遠位端に衝突する。トレー２００内のブリスターパック１００の長手方向に直角な運動は側壁２０８及び２１０によって決定し得る。
【００２３】
図３〜図６は、子供が悪戯できないヒンジキャップ２５０の構造体及び動作を図示するパッケージングシステム１０の一連の斜視図である。図示した実施形態では、ヒンジキャップ２５０は組立工程中にトレー２００の一体部品として構成される。しかしながら、トレー２００に引き続いて装着される分離ユニットとして子供が悪戯できないヒンジキャップ２５０を構成することは可能である。
【００２４】
図３は、閉じた位置にある、子供が悪戯できないヒンジキャップ２５０を示す。また、図４は、ブリスター１００が第１位置にある状態で、開いた位置にある、子供が悪戯できないヒンジキャップ２５０を示す。図５は、ブリスターパック１００が第２位置内に摺動した状態の、開いた位置にある、子供が悪戯できないヒンジキャップ２５０を示す。図６は、開いた位置にある、子供が悪戯できないヒンジキャップ２５０を具備するパッケージングシステム１０の下から見た斜視図を示す。図３及び図４に示すように、子供が悪戯できないヒンジキャップ２５０はヒンジ２５４によってトレー２００の端壁２０４に装着されたフラップ２５２を含む。ヒンジキャップ２５０が閉じた位置にあるとき、このヒンジキャップ２５０はブリスター保持キャップ３００の基部３０２と実質的に連続した平らな表面を構成する。
【００２５】
図４に最も良く示すように、この子供が悪戯できないヒンジキャップ２５０は、フラップ２５２の内側表面から突出する１対のリブ２５６及び２５８を含む。これらのリブ２５６、２５８は、ヒンジキャップ２５０が閉位置にあるときに、制限されたアクセスチャンバ１０４にそれらが突き当たるように成形される。このように、子供が悪戯できないヒンジキャップ２５０が閉じたときに、リブ２５６、２５８の正に１つでさえ、ブリスター１００を第１位置に錠止する。子供が悪戯できないヒンジキャップ２５０が開かれると、リブ２５６、２５８は制限されたアクセスチャンバ１０４から退去し、ブリスター１００が第２位置内に摺動することを可能にする。
【００２６】
図３及び図４に更に示すように、この子供が悪戯できないヒンジキャップ２５０は一対の弾発的に変形可能な支柱(struts)２６４及び２６６から外向きに突出する一対のボタン２６０及び２６２を含む。ボタン２６０及び２６２は、トレーの側壁内に構成された１対の箱金物(stirrups)６８及び２７０内に緊密に嵌合するように寸法づけられ且つ位置づけられる。子供が悪戯できないヒンジキャップ２５０が閉じた位置にあるとき、ボタン２６０及び２６２はスターラップ２６８及び２７０を貫通して外向きに延在し、その端縁に係合し、かつヒンジキャップ２５０を閉じた位置に錠止する。図４に最も良く示すように、ボタン２６０及び２６２がスターラップ２６８及び２７０から十分に取り除かれてヒンジキャップ２５０を矢印２７６の方向に旋回させて開くことを可能にするまで、子供が悪戯できないヒンジキャップ２５０は矢印２７２及び２７４の方向に内向きにボタン２６０及び２６２を押圧することによって開く。
【００２７】
パッケージの使用者は１つの親指と第１の手の指を使用して２つのボタン２６０及び２６２を内向きに押圧し、及び第２の手を使用してヒンジキャップ２５０を旋回させて開くことが考えられる。第２の手で子供が悪戯できないヒンジキャップ２５０の把持を促進するために、半円弧状の窪み(semicircular well)３１２がブリスター保持キャップ３００の基部３０２に設けられる。ヒンジキャップ２５０はブリスター保持キャップ３００の半円弧状窪み３１２に位置が対応する耳部２７８を含む。ヒンジキャップ２５０は、ボタン２６０及び２６２がスターラップ２６８及び２７０に再び係合するように、それ下向きにを旋回させることによって再び閉じ得る。ボタン２６０、２６２はボタン２６０及び２６２を内向きにそらせるために１つの親指及び指を使う必要なく該ボタン２６０、２６２を所定位置に摺動可能にする丸い表面を具備する。
【００２８】
図５及び図６に図示するように、ブリスターパック１００は矢印２８０の方向に沿って第２位置内に摺動する。第２位置では、制限されたアクセスチャンバ１０４は、保護保持キャップ３００の下から摺動されており、今や視認し得るものであり、かつアクセス可能である。さらにまた、ブリスターパック１００が第２の位置にあるとき、制限されたアクセスチャンバ１０４は、図６に最も良く示すように制限されたアクセス窓２１６及び２１８に整合される。制限されたアクセスチャンバ１０４の単位投薬量は、矢印２８２の方向に制限されたアクセスチャンバ１０４に圧力を加えることにより今やブリスターパック１００から解放し得る。上述したように、この態様で圧力を加えることは、制限されたアクセスチャンバ１０４を崩壊せしめ、このチャンバ内に収容された単位投薬量を裏当て１０６から貫通させて窓２１６及び２１８を貫通させて駆動する。
【００２９】
子供が悪戯できないヒンジキャップ２５０は子供が悪戯できないものであることが理解される。何故なら、ヒンジキャップ２５０を開くには、或る年齢以下の子供には一般的に欠如している、両手及び発達した手と目の強調を要するためである。子供がどうにかこうにかヒンジキャップ２５０を開いたとしても、この子供が制限されたアクセスチャンバを制限されたアクセス窓２１６及び２１８と整合させ、その後、自身のブリスター１０４から単位投薬量を上手く取り出すようにブリスターパック１００を第２位置に摺動させることが難しいことを見出し得る。
【００３０】
図７〜図９は、パッケージングシステム１０が外側スリーブ４００内に包まれる、本発明の更なる態様を例示する一連の線図を示す。図７に示すように、外側スリーブ４００は第１開放端４０２及び第２開放端４０４を含み、パッケージングシステム１０全体の周りに緊密に嵌合するように成形される。パッケージングシステム１０は外側スリーブ４００の何れの端部からも摺動し得る。
【００３１】
パッケージングシステム１０が第１開放端４０２から摺動するとき、図７に示すように、子供が悪戯できないヒンジキャップ２５０は、外側スリーブ４００からパッケージングシステム１０を完全に取り除くことを要さずに露出される。図８に示すように、ヒンジキャップ２５０はブリスター１００の制限されたアクセスチャンバ１０４へのアクセスを与えるために開き得る。図９に示すように、パッケージングシステム１０が第２開放端４０４から摺動するとき、パッケージングシステム１０を外側スリーブ４００から完全に取り除くことを要さずにブリスター１００の一般アクセスチャンバ１０２はアクセス可能である。
【００３２】
本発明による物品をパッケージ詰めする１つの方法に関しては、１段階で部ピンはブリスターパック内にパックされる。ブリスターパックは、少なくとも１つの一般アクセスチャンバを収容する一般アクセス区域と、少なくとも１つの制限されたアクセスチャンバを収容する制限されたアクセス区域と、を含む。一般アクセス区域と制限されたアクセス区域と、はチャンバの無い区域によって分離される。他の段階では、ブリスターパックはトレー内に装填される。他の段階では、ブリスター保持キャップはブリスターパックをトレー内に保持するために使用される。ブリスター保持キャップ及びトレーはこれらの間にブリスターパックのチャンバの無い区域のガイドスロット内に嵌合する中央ガイドポストを含む。中央ガイドポスト及びガイドスロットは、ブリスターパックがブリスター保持キャップによってトレー内に保持されるように該トレー内に位置づけられる。ブリスターパックは、該ブリスターパックの一般アクセス区域がアクセス可能な第１位置と、ブリスターパックの一般アクセス区域と制限されたアクセス区位置の両方がアクセス可能な第２位置と、の間で摺動可能である。ブリスターパックはトレーにヒンジ式に装着された子供が悪戯できないキャップによって第１位置に保持される。この結果、ヒンジキャップが閉じるときに、該ヒンジキャップはブリスターパックを第１位置に錠止し、ヒンジキャップが開くときに、該ヒンジキャップはブリスターパックを第２位置内に摺動可能にする。
【００３３】
上述の記載は当業者が本発明を実線することを可能にする詳細を含むが、記載は性質上図示であり、その多くの変更及び変形はこれらの教示を有する当業者には自明であることを認識すべきである。本願明細書の発明は添付の特許請求の範囲のみによって規定され、しかも特許請求の範囲は従来技術によってできるだけ広く解釈されることを意図している。
【図面の簡単な説明】
【００３４】
【図１】本発明の実施形態の上から見た分解斜視図である。
【図２】本発明の実施形態の下から見た分解斜視図である。
【図３】図１及び図２のヒンジキャップの動作を図示する一連の斜視図である。
【図４】図１及び図２のヒンジキャップの動作を図示する一連の斜視図である。
【図５】図１及び図２のヒンジキャップの動作を図示する一連の斜視図である。
【図６】図１及び図２のヒンジキャップの動作を図示する一連の斜視図である。
【図７】本発明の別の実施形態を図示する一連の斜視図である。
【図８】本発明の別の実施形態を図示する一連の斜視図である。
【図９】本発明の別の実施形態を図示する一連の斜視図である。
【符号の説明】
【００３７】
１０  パッケージングシステム
１００  ブリスターパック
１０２  一般アクセスチャンバ
１０４  制限されたアクセスチャンバ
１０６  裏当て
１０８  チャンバの無い区域
１１０  スロット
２００  トレー
２０２  トレーフレーム
２０４、２０６  端壁
２０８、２１０  側壁
２１２、２１４  一般アクセス窓
２１６、２１８  制限されたアクセス窓
２２０  装着ポスト
２５０  子供が悪戯できないヒンジキャップ
２５２  フラップ
２５４  ヒンジ
２５６、２５８  リブ
２６０、２６２  一対のボタン
２６４、２６６  支柱
２６８、２７０  一対のスターラップ
２７２、２７４、２７６  矢印
２７８、２８２  矢印
３００  ブリスター保持キャップ
３０２  ベース
３０４、３０６、３０８  ブリスター保持キャップ壁
３１０  中央ガイドポスト
３１２  半円弧状窪み
４００  外側スリーブ
４０２  第１開放端
４０４  第２開放端
【国際調査報告】
2007511432.tif 000012
2007511432.tif 000013
2007511432.tif 000014